(57)【要約】【課題】  マナーモードあるいは非マナーモードという動作のモードに応じて表示部の視野角を制御する。【解決手段】  携帯電話機１は、動作のモードをマナーモードと非マナーモードとで切り替えることができる。また、携帯電話機１は、マナーモードあるいは非マナーモードという動作のモード、および、当該携帯型情報端末において実行されるアプリケーションの動作状態に応じて、メイン表示部１２の視野角を制御する視野角制御部２５を備えている。【選択図】  図１
2007335912.tif 000002
【特許請求の範囲】
【請求項１】
表示手段を備え、かつ、動作のモードをマナーモードと非マナーモードとで切り替え可能な携帯型情報端末であって、
上記表示手段の視野角を動作のモードに応じて制御する視野角制御手段を備えることを特徴とする携帯型情報端末。
【請求項２】
上記視野角制御手段は、着信時の音量が所定値以下に設定されているときにマナーモードの視野角制御を行うことを特徴とする請求項１に記載の携帯型情報端末。
【請求項３】
振動または音で着信を報知する着信報知手段をさらに備え、
上記視野角制御手段は、上記着信報知手段が振動で着信を報知する場合にマナーモードの視野角制御を行い、上記着信報知手段が音で着信を報知する場合に非マナーモードの視野角制御を行うことを特徴とする請求項１に記載の携帯型情報端末。
【請求項４】
動作のモードがマナーモードのときは、狭視野角に制御することを特徴とする請求項１から３の何れか１項に記載の携帯型情報端末。
【請求項５】
表示手段を備え、かつ、動作のモードをマナーモードと非マナーモードとで切り替え可能な携帯型情報端末であって、
上記表示手段の視野角を動作のモード、および、当該携帯型情報端末において実行されるアプリケーションの動作状態に応じて制御する視野角制御手段を備えることを特徴とする携帯型情報端末。
【請求項６】
モードの状態およびアプリケーションの状態の組み合わせと視野角との対応関係を記憶する記憶手段と、
現在のモード状態と現在のアプリケーションの状態との組み合わせに対応する視野角を、上記対応関係から検索する視野角検索手段とをさらに備え、
上記視野角制御手段は、上記視野角検索手段が検索した視野角に基づいて、上記表示手段の視野角を制御することを特徴とする請求項５に記載の携帯型情報端末。
【請求項７】
携帯型情報端末の表示手段の視野角を制御する視野角制御方法であって、
当該携帯型情報端末の動作のモードがマナーモードであるか非マナーモードであるかに基づいて、上記表示手段の視野角を制御することを特徴とする視野角制御方法。
【請求項８】
請求項１から６の何れか１項に記載の携帯型情報端末における視野角の制御機能をコンピュータで実現するための視野角制御プログラム。
【請求項９】
請求項８に記載の視野角制御プログラムを記録したコンピュータ読取可能な記録媒体。
【発明の詳細な説明】
【技術分野】
【０００１】
本発明は、表示部の視野角を制御することの可能な携帯型情報端末、携帯型情報端末の視野角制御方法、視野角制御プログラム、および該プログラムを記録した記録媒体に関するものである。
【背景技術】
【０００２】
従来から、携帯電話機、ＰＤＡ（Personal Digital Assistant）などの携帯型情報端末のディスプレイとして液晶ディスプレイ（ＬＣＤ）が広く利用されている。ＬＣＤは、ＣＲＴ（Cathode Ray Tube）、プラズマディスプレイなどに比べて、視野角が狭いことが欠点とされてきたが、近時のＬＣＤ技術の進歩により、視野角の広角化が進められている。
【０００３】
しかしながら、上記携帯型情報端末は、電車やバスの車内などにおいて混雑した状況で利用すると、上記携帯型情報端末の表示画面に表示された内容が周囲の人に覗き見される虞がある。特に、電子メールの作成および閲覧を行う場合には、その内容が周囲の人に覗き見されることはプライバシー上好ましくない。
【０００４】
この問題に対応して、視野角を制御できるＬＣＤが提案されている（例えば、特許文献１〜４参照）。このようなＬＣＤでは、通常の広視野角モードと、視野角の狭い狭視野角モードとの何れか一方から他方に切り替え可能となっている。なお、狭視野角モードとは、ユーザのいる表示画面真正面からは通常どおりの表示画像が視認でき、斜め方向からは無地画像または別の画像が見えるモードである。
【０００５】
例えば、特許文献１に記載の視野角可変素子は、一対の基板の間の液晶層中の液晶分子が、基板に対して垂直方向に配向することで狭視野角となり、平行方向に配向することで広視野角となっている。また、特許文献２に記載の携帯端末装置は、２枚のガラス板の間の液晶の配向を変更することにより、情報表示手段の視野角を変更している。
【０００６】
さらに、表示装置をいくつかの区画に分け、それぞれの区画で液晶配向方向等を異ならせることで、狭視野角モードにおいて、正面以外の方向から表示画面を見た場合に、表示画面に表示されたものとは異なる別の画像を視認できるようにする構成のものもある。例えば、特許文献３には、液晶層を挟む配向膜が複数の領域に区画され、隣接する前記領域の配向方向が異なる液晶表示装置が記載されている。また、特許文献４には、視角方向が異なる第１の液晶セルと第２の液晶セルとを交互に配する液晶表示装置が記載されている。
【０００７】
さらに、特許文献２に記載の携帯端末装置は、実行中のアプリケーションの種類に応じて視野角を制御している。これにより、使用状況に応じて自動的に視野角を変更することができ、ユーザが視野角をいちいち決定する煩わしさを回避できる。
【特許文献１】特開平９−１０５９５８（公開日：１９９７年４月２２日）
【特許文献２】特開２００４−６２０９４（公開日：２００４年２月２６日）
【特許文献３】特開２００１−２６４７６８（公開日：２００１年９月２６日）
【特許文献４】特開２００４−３８０３５（公開日：２００４年２月５日）
【発明の開示】
【発明が解決しようとする課題】
【０００８】
しかしながら、マナーモード、非マナーモードという装置の動作のモードに応じて視野角の制御を行うことのできる携帯型情報端末は開示されていない。通常、マナーモードは映画館や電車の中などマナーとして静粛が要求される公共の場で設定されることが多い。つまり、マナーモードは混雑した状況で利用される場合が多いため、マナーモード設定時に上記携帯型情報端末の表示画面に表示された内容が周囲の人に覗き見される可能性が高い。そこで、マナーモード設定時に例えば狭視野角モードになるように自動で視野角を制御することのできる携帯型情報端末が存在すれば便利である。
【０００９】
本発明は、上記の問題点に鑑みてなされたものであり、その目的は、マナーモードあるいは非マナーモードという動作のモードに応じて表示部の視野角を制御するこのとできる携帯型情報端末を実現することにある。
【課題を解決するための手段】
【００１０】
本発明にかかる携帯型情報端末は、上記課題を解決するために、表示手段を備え、かつ、動作のモードをマナーモードと非マナーモードとで切り替え可能な携帯型情報端末であって、上記表示手段の視野角を動作のモードに応じて制御する視野角制御手段を備えることを特徴としている。
【００１１】
ここでマナーモードとは、携帯電話などの携帯型情報端末をマナー良く使うために設定された動作モードのことである。最も一般的なマナーモードは、着信時に音を鳴らさずに、バイブレータで振動を発するように動作するモードである。つまり、上記非マナーモードの一例としては、当該携帯型情報端末に着信があったときに、音で着信があったことをユーザに報知するモードが挙げられ、上記マナーモードの一例としては、当該携帯型情報端末に着信があったときに、振動や光など音以外の方法で着信があったことをユーザに報知するモードが挙げられる。
【００１２】
本発明の携帯型情報端末は、上記のように、マナーモード・非マナーモードという動作のモードに応じて表示手段の視野角を制御する視野角制御手段を備えている。上記の構成によれば、動作のモードを選択することで、自動的に視野角を制御することができる。
【００１３】
なお、上記「視野角を制御する」とは、マナーモード・非マナーモードに応じて、広視野角と狭視野角という２段階の視野角の何れかに切り替えることであってもよいし、マナーモードおよび非マナーモードの中にさらに複数のモード形態が存在し、視野の角度が所定の値となるように視野角を多段階に制御することであってもよい。
【００１４】
本発明の携帯型情報端末において、上記視野角制御手段は、着信時の音量が所定値以下に設定されているときにマナーモードの視野角制御を行ってもよい。
【００１５】
上記の構成よれば、視野角制御手段は、着信時の音量が所定値以下の小さな音量に設定されている場合に、マナーモードであると判断して、マナーモードに応じた視野角の制御を行うことができる。
【００１６】
本発明の携帯型情報端末は、振動または音で着信を報知する着信報知手段をさらに備え、上記視野角制御手段は、上記着信報知手段が振動で着信を報知する場合にマナーモードの視野角制御を行い、上記着信報知手段が音で着信を報知する場合に非マナーモードの視野角制御を行ってもよい。
【００１７】
上記の構成によれば、視野角制御手段は、振動で着信が報知される場合にマナーモードであると判断して、マナーモードに応じた視野角の制御を行い、音で着信が報知される場合に非マナーモードであると判断して、非マナーモードに応じた視野角の制御を行うことができる。
【００１８】
本発明の携帯型情報端末において、動作のモードがマナーモードのときは、狭視野角に制御することが好ましい。
【００１９】
マナーモードは混雑した状況で利用される場合が多いため、マナーモード設定時に上記携帯型情報端末の表示画面に表示された内容が周囲の人に覗き見される可能性が高い。そこで、上記のように、マナーモード設定時に狭視野角モードになるように自動で視野角を制御することができれば、ユーザが視野角の操作を手動で行うという手間を省くことができる。
【００２０】
本発明にかかる携帯型情報端末は、上記課題を解決するために、表示手段を備え、かつ、動作のモードをマナーモードと非マナーモードとで切り替え可能な携帯型情報端末であって、上記表示手段の視野角を動作のモード、および、当該携帯型情報端末において実行されるアプリケーションの動作状態に応じて制御する視野角制御手段を備えることを特徴としている。
【００２１】
マナーモードとは、上述のように、携帯電話などの携帯型情報端末をマナー良く使うために設定された動作モードのことである。つまり、上記非マナーモードの一例としては、当該携帯型情報端末に着信があったときに、音で着信があったことをユーザに報知するモードが挙げられ、上記マナーモードの一例としては、当該携帯型情報端末に着信があったときに、振動や光など音以外の方法で着信があったことをユーザに報知するモードが挙げられる。
【００２２】
また、上記「アプリケーションの動作状態」とは、アプリケーションが起動しているか否か、および、アプリケーションがどのような動作モードの状態（例えば、メールソフトであれば、受信状態、送信状態、文書作成状態などのような状態）にあるかを意味するものである。
【００２３】
本発明の携帯型情報端末は、上記のように、マナーモード・非マナーモードという動作のモード、および、アプリケーションの動作状態に応じて表示手段の視野角を制御する視野角制御手段を備えている。上記の構成によれば、動作のモードおよびアプリケーションの動作状態に応じて、自動的に視野角を制御することができる。
【００２４】
本発明にかかる携帯型情報端末は、モードの状態およびアプリケーションの状態の組み合わせと視野角との対応関係を記憶する記憶手段と、現在のモード状態と現在のアプリケーションの状態との組み合わせに対応する視野角を、上記対応関係から検索する視野角検索手段とをさらに備え、上記視野角制御手段は、上記視野角検索手段が検索した視野角に基づいて、上記表示手段の視野角を制御することが好ましい。
【００２５】
上記の構成によれば、予め記憶されたモードの状態およびアプリケーションの状態の組み合わせと、その場合に設定すべきモード状態との対応関係に基づいて、実際に設定された現在のモードの状態およびアプリケーションの状態から、設定すべきモード状態を適宜選択することができる。
【００２６】
本発明にかかる視野角制御方法は、携帯型情報端末の表示手段の視野角を制御する視野角制御方法であって、当該携帯型情報端末の動作のモードがマナーモードであるか非マナーモードであるかに基づいて、上記表示手段の視野角を制御することを特徴としている。本発明の視野角制御方法によれば、動作のモードおよびアプリケーションの動作状態に応じて、自動的に視野角を制御することができる。
【００２７】
なお、上記携帯型情報端末における視野角の制御は、コンピュータによって実現してもよく、この場合には、コンピュータを上記視野角制御手段として動作させることにより上記携帯型情報端末をコンピュータにて実現させる視野角制御プログラムを記録したコンピュータ読取り可能な記録媒体も、本発明の範疇に入る。
【００２８】
すなわち、本発明にかかる視野角制御プログラムは、上述の何れかの構成からなる携帯型情報端末における視野角の制御機能をコンピュータで実現するためのものである。また、本発明にかかる記録媒体は、上記視野角制御プログラムを記録したコンピュータ読み取り可能な記録媒体である。
【発明の効果】
【００２９】
以上のように、本発明にかかる携帯型情報端末は、マナーモード・非マナーモードという動作のモードに応じて視野角を制御する視野角制御手段を備えているため、動作のモードに応じて自動的に視野角を制御することができる。
【発明を実施するための最良の形態】
【００３０】
本発明の一実施形態について図１ないし図７に基づいて説明すると以下の通りである。
【００３１】
図２は、本発明の一実施形態である携帯電話機（携帯型情報端末）１の外観を示している。本実施形態の携帯電話機１は、いわゆるクラムシェル型であり、同図に開いた状態で示されている。同図（ａ）は、携帯電話機１を閉じたときに内側となる部分であり、携帯電話機１を開いたときにユーザが主に利用する側である。そこで、本願では同図（ａ）に示される側を前面側とする。また、同図（ｂ）は、携帯電話機１を閉じたときに外側となる部分であり、携帯電話機１を開いたときに同図（ａ）の側と反対側となる。そこで、本願では同図（ｂ）に示される側を背面側とする。
【００３２】
図２に示すように、携帯電話機１は、本体２と、蓋体３とからなり、本体２と蓋体３とはヒンジ状に連結している。蓋体３には、前面側にメイン画面４が設けられ、背面側にサブ画面５が設けられている。なお、同図には示していないが、蓋体３内にはアンテナが設けられている。
【００３３】
本体２には、前面側にメイン操作ボタン群６が設けられている。メイン操作ボタン群６は、携帯電話機１における各種設定や機能切り替えを行うための機能ボタン群７と、数字や文字などの記号を入力するための入力ボタン群８とから構成されている。具体的には、機能ボタン群７は、携帯電話の電源のＯＮ／ＯＦＦを切り替える電源ボタン、マナーモード設定のＯＮ／ＯＦＦを行うマナーモードボタン、撮影モードを起動させるカメラボタン、メールモードを起動させるメールボタン、選択対象を上下左右方向に移動させるための十字ボタン、該十字ボタンの中央に配置されており種々の選択を決定する決定ボタンなどを含んでいる。また、入力ボタン群８は、テンキーである。なお、本体２の背面側には、カメラ９が設けられている。
【００３４】
本実施形態の携帯電話機１は、メイン画面４の視野角を制御して、広視野角モードおよび狭視野角モードの何れか一方から他方に切り替える機能を有する。この視野角モードの切り替えは、ユーザが所定の操作ボタンを操作することにより実行できる。なお、視野角を変更する構造としては、種々のものが知られており、例えば上記特許文献１・３・４に記載されているので、その説明を省略する。
【００３５】
本実施形態では、携帯電話機１の動作のモードがマナーモードであるか非マナーモードであるか（すなわち、上記マナーモードボタンのＯＮ／ＯＦＦ）、および／または、メール、ゲームなどのアプリケーションソフトが起動しているか否かに対応して、上記視野角モードの切り替えが自動的に実行される。例えば、非マナーモードに設定されることによって自動的に広視野角モードとなり、マナーモードに設定されることによって自動的に狭視野角モードとなる。
【００３６】
つまり、本実施の形態の携帯電話機１は、動作のモードがマナーモードであるか、非マナーモードであるかというモード状態のみに応じて、広視野角モードと狭視野角モードとの変更を行うことができるとともに、上記のモードの状態と特定のアプリケーションの起動状態との組み合わせに応じて、広視野角モードと狭視野角モードとの変更を行うことができる。
【００３７】
さらに、本実施形態の携帯電話機１は、図２に示されるように、視野角の状態を示す視野角情報６０をメイン画面４に表示している。これにより、ユーザは、各種デバイスの使用状況に対応して視野角の状態が自動的に変化しても、メイン画面４を正面から見るのみで視野角の状態を容易に判断することができる。なお、図示の例では、視野角情報６０は、メイン画面４の上端中央部に表示しているが、その他、表示画面４の任意の位置に表示することができる。また、図示の例では、視野角情報６０は文字列で表現しているが、アイコンなどの図形で表現することもできる。
【００３８】
携帯電話機１において、動作のモード状態のみで視野角の制御を行う場合、機能ボタン群７に含まれるマナーモードボタンをＯＮすると、狭視野角モードに設定される。一方、上記マナーモードボタンをＯＦＦにすると、広視野角モードに設定される。これは、マナーモードは混雑した状況で利用される場合が多く、マナーモード設定時に上記携帯型情報端末の表示画面に表示された内容が周囲の人に覗き見される可能性が高いため、正面からのみメイン画面４の画像を視認でき、右側面および左側面からはメイン画面の画像を視認できない狭視野角モードに設定することが望ましいからである。
【００３９】
図３は、動作モードを非マナーモードとすることにより、メイン画面４が自動的に広視野角モードとなった場合において、メイン画面４の正面方向にいる人Ｐｆが見る画像と、メイン画面４の斜め方向にいる人Ｐｌ、Ｐｒが見る画像とを示している。また、図４は、マナーモードボタンをＯＮすることにより、メイン画面４が自動的に狭視野角モードとなった場合において、メイン画面４の正面方向にいる人Ｐｆが見る画像と、メイン画面４の斜め方向にいる人Ｐｌ、Ｐｒが見る画像とを示している。
【００４０】
図３に示されるように、広視野角モードでは、メイン画面４を真正面から見た場合も（正面方位）、正面よりメイン画面４に向かって右側となる斜め前から見た場合も（右側面方位）、正面よりメイン画面４に向かって左側となる斜め前から見た場合も（左側面方位）、メイン画面４の画像が視認される。このとき、メイン画面４には、広視野角であることを示す視野角情報６０ｗが表示される。
【００４１】
一方、図４に示されるように、狭視野角モードでは、正面方位ではメイン画面４の画像が視認されるが、右側面方位あるいは左側面方位からは、黒い表示または別の画像が視認されるのみであり、メイン画面４の画像が視認されない。このとき、メイン画面４には、狭視野角であることを示す視野角情報６０ｎが表示される。
【００４２】
次に、携帯電話機１の詳細な構成について図１、図５に基づいて説明する。図５は、携帯電話機１の全体構成を示すブロック図である。図１は、携帯電話機１の視野角の制御に関連する部分の構成を示すブロック図である。
【００４３】
図５に示すように、携帯電話機１は、制御部（視野角制御手段）１１、メイン表示部（表示手段）１２、着信報知部（着信報知手段）１３、操作部１４、記憶部（記憶手段）１５、アプリケーションソフト格納部１６、アンテナ部７０、無線処理部７１、音声処理部７２、音声入力部７３、音声出力部７４、データ処理部７５、サブ表示部７６、撮影部７８、電源部７７を備える構成である。
【００４４】
アンテナ部７０は、電波を外部に送り出すとともに外部から電波を受け取るためのものである。具体的には、アンテナ部１０は、８００ＭＨｚ帯または１．５ＧＨｚ帯の携帯電話機用電波を送受するためのものである。
【００４５】
無線処理部７１は、音声処理部７２またはデータ処理部７５から受信したデータを無線送信に適した形式に変換し、変換した無線信号をアンテナ部７０を介して外部に送信するものである。また、無線処理部７１は、外部からアンテナ部７０を介して受信した無線信号を元の形式に変換し、変換したデータを音声処理部７２またはデータ処理部７５に送信するものである。具体的には、無線処理部７１では、チャネルコーデック処理、ベースバンド信号処理、データの変復調処理、ＲＦ（Radio Frequency）処理などが行われる。
【００４６】
音声処理部７２は、音声入力部７３からの音声信号を所定の音声データに変換して無線処理部７１に送信するとともに、無線処理部７１からの音声データを音声信号に変換して音声出力部７４に送信するものである。具体的には、音声処理部７２は、Ａ／Ｄ変換器、Ｄ／Ａ変換器、アンプ、音声コーデック回路を備える構成である。
【００４７】
音声入力部７３は、外部から入力された音波を、電気信号である音声信号に変換して音声処理部７２に送信するものである。具体的には、音声入力部７３はマイクロホンを備える構成である。
【００４８】
音声出力部７４は、音声処理部７２からの音声信号を音波に変換して外部に出力するものである。具体的には、音声出力部７４は、スピーカ、イヤホン、音声出力用コネクタなどを備える構成である。通常、携帯電話機１では、通話を行う場合にはイヤホンが利用され、着信の報知を行う場合にはスピーカが利用される。また、音楽を聴く場合には、周囲の人々に配慮して、音声出力用コネクタにヘッドホンが接続される。
【００４９】
なお、電話機の場合、音声入力部７３に入力するユーザの音声が音声出力部７４から聞こえることが望ましい。このため、音声処理部７２は、音声入力部７３からの音声信号を所定の音量レベルに調整した後、音声出力部７４に送信することが望ましい。
【００５０】
データ処理部７５は、制御部１１からのデータを所定形式のデータに符号化して無線処理部７１に送信するとともに、無線処理部７１からのデータを復号化して制御部１１に送信するものである。データ処理部７５で行われるデータの符号化／復号化（コーデック）方式の例としては、ＭＰＥＧ（Moving Picture Experts Group）−４、およびＩＴＵ−Ｔ勧告Ｈ．２６３が挙げられる。
【００５１】
操作部１４は、携帯電話機１の表面に設けられたメイン操作ボタン群６などの入力デバイスをユーザが操作することにより、操作データを作成して制御部１１に送信するものである。入力デバイスとしては、ボタンスイッチの他にタッチパネルなどが挙げられる。また、操作部１４は、所定の操作ボタンをユーザが操作することにより、視野角の変更を指示する操作データを作成し、制御部１１に送信する。
【００５２】
記憶部１５は、各種データおよびプログラムを記憶するものである。記憶部１５の例としては、制御部１１が動作する際に必要なプログラム、通信制御データ等の固定データを記憶する読出し専用の半導体メモリであるＲＯＭ（Read Only Memory）と、バーコード認識や通信に関するデータ、演算に使用するデータ及び演算結果等を一時的に記憶するいわゆるワーキングメモリとしてのＲＡＭ（Random Access Memory）とが挙げられる。
【００５３】
メイン表示部１２およびサブ表示部７６は、制御部１１から画像データを受信し、受信した画像データに基づいて画像を表示するものである。具体的には、メイン表示部１２およびサブ表示部７６は、ＰＤＰ（Plasma Display Panel）、ＬＣＤ、ＥＬ（Electroluminescence）ディスプレイなどの表示素子と、受信した画像データに基づいて表示素子を駆動するドライバ回路とを備える構成である。
【００５４】
本実施形態では、メイン表示部１２は、制御部１１から視野角制御データを受信し、受信した視野角制御データに基づいて視野角を変更する機能を有するものである。なお、サブ表示部７６が視野角を変更する機能を有しても良い。
【００５５】
撮影部７８は、被写体の撮影を行って映像データを生成するものである。具体的には、撮影部７８は、被写体からの光を電気信号に変換するＣＣＤ（Charge Coupled Device）、ＣＭＯＳ（Complementary Metal-oxide Semiconductor）などの撮像素子と、撮像素子からの電気信号をＲＧＢ各色のデジタル映像データに変換する映像処理回路とを備える構成が挙げられる。撮影部７８は、生成した映像データを制御部１１に送信する。
【００５６】
電源部７７は、携帯電話機１内の各種構成に適当な電力を供給するものである。電源部７７は、例えば、リチウムイオン電池などの充電可能な２次電池、電源回路などによって構成される。
【００５７】
着信報知部１３は、携帯電話機１に着信があった場合に、音または振動によって着信があったことを報知するものである。着信報知部１３は、振動を発するバイブレータ４１と、音を発生する音発生部４２とを含んでいる。
【００５８】
アプリケーションソフト格納部１６は、メールソフト、ゲームソフト、基本ソフト、ワープロソフトなど、携帯電話機１において実行される種々のアプリケーションのソフトを格納している。
【００５９】
制御部１１は、携帯電話機１内の各種構成を統括的に制御するものである。制御部１１の機能は、例えばＲＡＭやフラッシュメモリなどの記憶装置に記憶されたプログラムをＣＰＵ（Central Processing Unit）が実行することによって実現される。
【００６０】
図１は、携帯電話機１内の上記構成のうち、視野角を制御する動作に関わる構成の詳細を示している。図１に示すように、携帯電話機１は、視野角を制御する動作に関わる構成として、制御部１１、メイン表示部１２、着信報知部１３、操作部１４、記憶部１５、アプリケーションソフト格納部１６を備えている。
【００６１】
メイン表示部１２は、上述のように、メイン表示部１２は、制御部１１から視野角制御データを受信し、受信した視野角制御データに基づいて視野角を変更する機能を有している。メイン表示部１２の内部には、制御部１１内の視野角制御部２５から受信した視野角制御データに基づいて視野角を変更する視野角変更部３２と、制御部１１から受信した種々の画像データに基づいて画像を表示するメイン画面４とが備えられている。
【００６２】
着信報知部１３は、振動を発するバイブレータ４１と、音を発生する音発生部４２とを含んで構成され、制御部１１内のマナーモード制御部２２からの制御指令に基づいて、携帯電話機１に着信があった場合に、音または振動によって着信があったことを報知する。
【００６３】
操作部１４では、所定の操作ボタンをユーザが操作することにより、視野角の変更を指示する操作データを作成し、制御部１１内の視野角指示取得部２３に送信する。これによって、手動で視野角の変更を行うことができる。
【００６４】
また、操作部１４は、所定の操作ボタンをユーザが操作することにより、アプリケーション起動および終了、さらに、アプリケーションの操作を行うための操作データを作成し、制御部１１内のアプリケーション制御部２１へ送信する。これによって、メールソフト、ゲームソフトなど、携帯電話機１に備えられた種々のアプリケーションソフトの起動・終了、およびアプリケーションの操作を行うこともできる。
【００６５】
さらに、操作部１４は、所定の操作ボタンをユーザが操作することにより、マナーモードの設定および解除（すなわち、非マナーモードの設定）を行うための操作データを作成し、制御部１１内のマナーモード制御部２２へ送信する。これによって、携帯電話機１の動作のモードをマナーモードと非マナーモードとで切り替えることができる。
【００６６】
アプリケーションソフト格納部１６は、種々のアプリケーションソフト５１を格納している。制御部１１内のアプリケーション制御部２１は、このアプリケーションソフト５１に基づいて、種々のアプリケーションを実行する。
【００６７】
記憶部１５は、動作モードの状態およびアプリケーションの起動状態の組み合わせと、その場合に設定すべき視野角との対応関係を示す対応テーブル５０を記憶している。図６は、対応テーブル５０の一例を表形式で示している。図６に示す表中のマナーモード設定においては、マナーモードに設定されている場合を「ＯＮ」で示し、非マナーモードに設定されている場合を「ＯＦＦ」で示す。また、図６に示す表中のアプリケーション設定においては、アプリケーションが起動している場合を「ＯＮ」で示し、アプリケーションが終了している場合を「ＯＦＦ」で示す。図示の例では、マナーモード設定およびアプリケーション設定ともに「ＯＮ」の場合に対応して狭視野角モードが設定され、上記以外の場合に対応して広視野角モードが設定されている。
【００６８】
制御部１１内の視野角検索部２４では、記憶部１５内の対応テーブル５０から、現在実際に設定されている動作モードおよびアプリケーションの起動状態と一致する視野角モードを検索し、ここで得られた視野角モードを設定すべき視野角モードとして、視野角制御部２５へ送信する。
【００６９】
上記対応テーブル５０に記憶されているアプリケーションの起動状態は、特定のアプリケーションソフトのみに対応するものであってもよいし、複数のアプリケーションソフトの場合に適用できるものであってもよい。また、上記対応テーブル５０は、アプリケーションソフトごとに異なる視野角制御を行うことができるように、アプリケーションソフト別に複数個設けられていてもよい。
【００７０】
動作モードの状態とアプリケーションの起動状態とを組み合わせた視野角制御の具体的な例として、例えば、アプリケーションソフトがメールソフトである場合には、図６に示すような視野角制御が挙げられる。
【００７１】
また、アプリケーションソフトが対戦型のゲームソフトである場合には、対戦相手にメイン表示部１２の画面表示を見られないようにすることが望ましいため、マナーモードの設定に関係なく、当該ゲームソフトの起動時には狭視野角モードに設定し、当該ゲームソフト終了時には広視野角モードに設定するような対応テーブル５０を作成すればよい。一方、アプリケーションソフトが非対戦型のゲームソフトである場合には、メイン表示部１２の画面表示を周囲に見られても構わないため、図６に示すような対応テーブル５０を作成すればよい。
【００７２】
制御部１１の内部には、アプリケーション制御部２１、マナーモード制御部２２、視野角指示取得部２３、視野角検索部（視野角検索手段）２４、視野角制御部（視野角制御手段）２５が備えられている。
【００７３】
アプリケーション制御部２１は、アプリケーションの動作を制御するものである。アプリケーション制御部２１は、操作部１４から送られた操作データに基づいて、アプリケーションソフト格納部１６に備えられた種々のアプリケーションソフト５１の起動・終了、およびアプリケーション５１の操作を行う。また、アプリケーション制御部２１は、アプリケーションソフト５１が起動した時、および、アプリケーションソフト５１が終了した時に、アプリケーションの設定が変更されたというデータを視野角検索部２４に送信する。
【００７４】
マナーモード制御部２２は、マナーモードと非マナーモードとのモード切り替えを制御するものである。マナーモード制御部２２は、操作部１４からマナーモードの設定を指示する操作データを受信すると、バイブレータ４１の動作を停止し、音発生部４２の動作を開始するように着信報知部１３を制御する。一方、操作部１４からマナーモードの解除を指示する操作データを受信すると、音発生部４２の動作を停止し、バイブレータ４１の動作を開始するように着信報知部１３を制御する。これにより、メイン操作ボタン群６に含まれるマナーモードボタンをＯＮすることによって、着信報知部１３内のバイブレータ４２が機能するように設定され、メイン操作ボタン群６に含まれるマナーモードボタンをＯＦＦすることによって、着信報知部１３内の音発生部４２が機能するように設定される。
【００７５】
また、マナーモード制御部２２は、マナーモード設定の変更があった時に、マナーモードあるいは非マナーモードに設定が変更されたというデータを視野角検索部２４に送信する。
【００７６】
視野角指示取得部２３は、操作部１４から視野角の変更を指示する操作データを受信すると、視野角の状態を変更する視野角指示データを作成するものである。視野角指示取得部２３は、作成した視野角指示データを視野角制御部２５に送信する。
【００７７】
視野角検索部２４は、アプリケーション制御部２１およびマナーモード制御部２２から、アプリケーションの起動状態を示すデータおよびマナーモード設定状態を示すデータを受信し、受信した上記２つのデータの組み合わせに対応する視野角モードを対応テーブル５０から検索するものである。視野角検索部２４は、検索した視野角モードの情報を視野角指示データとして視野角制御部２５に送信する。
【００７８】
視野角制御部２５は、視野角指示取得部２３および視野角検索部２４から受信した視野角指示データに基づいて、視野角変更部３２を制御するものである。具体的には、視野角制御部２５は、視野角の状態を変更する視野角指示データを受信すると、視野角の状態を変更するように視野角変更部３２を制御する。また、視野角制御部２５は、現在の視野角の状態を保持しており、受信した視野角指示データの視野角の状態が、現在の視野角の状態と異なる場合には、視野角指示データの視野角の状態に変更するように視野角変更部３２を制御する。
【００７９】
なお、視野角の状態は、実際の視野角の角度で表してもよいし、視野角が広い、狭い、中位といった視野角の程度で表してもよい。本実施形態では、視野角の状態は、視野角が広い広視野角と、視野角が狭い狭視野角で表している。
【００８０】
上記構成の携帯電話機１における処理動作について図７に基づいて説明する。図７は、動作のモードおよびアプリケーションの動作状態に応じて視野角を変更するように制御部１１が制御する処理動作を示している。
【００８１】
図７に示されるように、まず、操作部１４にてユーザが所定の視野角変更ボタンを押して、手動で視野角変更の操作が行われたか否かを視野角指示取得部２３が判断する（ステップＳ１０（以下「Ｓ１０」と略称することがある。他のステップについても同様である。））。視野角変更の操作が行われた場合には（Ｓ１０にてＹＥＳ）、視野角制御部２５は、視野角を変更するように、視野角変更部３２を制御する（Ｓ１１）。その後、ステップＳ１０に戻って上記動作を繰り返す。
【００８２】
一方、手動で視野角変更の操作が行われていない場合には（Ｓ１０にてＮＯ）、マナーモードの設定が変更されたか否かをマナーモード制御部２２が判断し、アプリケーションの設定が変更されたか否かをアプリケーション制御部２１が判断する（Ｓ１２）。マナーモード設定・アプリケーション設定ともに変更がない場合には（Ｓ１２にてＮＯ）、ステップＳ１０に戻って上記動作を繰り返す。
【００８３】
一方、マナーモード設定・アプリケーション設定が変更された場合には（Ｓ１２にてＹＥＳ）、設定が変更された旨のデータを視野角検索部２４に送る。視野角検索部２４は、変更されたマナーモード設定・アプリケーション設定の組み合わせに対応する視野角を対応テーブル５０から検索する（Ｓ１３）。次に、検索された視野角となるように、視野角制御部２５が視野角変更部３２を制御する（Ｓ１４）。これにより、動作のモードおよびアプリケーションの動作状態に応じて視野角を制御することができる。その後、ステップＳ１０に戻って上記動作を繰り返す。
【００８４】
本実施の形態にかかる携帯電話機１は、上記のような構成を有することで、マナーモードに設定されているか否か、および、特定のアプリケーションが起動しているか否かに応じて、自動で視野角を制御することができる。
【００８５】
また、上記携帯電話機１の視野角は、マナーモードの設定あるいはアプリケーションの設定のうちの何れか単独で制御することもできる。この場合は、視野角制御部２５が、マナーモードの設定あるいはアプリケーションの設定の変更があった場合に、マナーモード制御部２２あるいはアプリケーション制御部２１から設定変更に関する情報を直接受信し、対応テーブル５０を利用することなく、予め決められた設定に基づいて視野角の変更を行えばよい。
【００８６】
携帯電話機１において、マナーモード設定とアプリケーション設定の両方に基づいて視野角を制御するか、あるいは、上記のうちの何れか一方のみに基づいて視野角を制御するかという設定については、ユーザが操作部１４からボタン入力操作を行うことによって、適宜変更することができる。
【００８７】
なお、動作のモードのみに基づいて、広視野角モードと狭視野角モードとの変更を行う場合には、マナーモードに設定した場合に狭視野角モードに変更することが好ましい。マナーモードは混雑した状況で利用される場合が多いため、マナーモード設定時に上記携帯型情報端末の表示画面に表示された内容が周囲の人に覗き見される可能性が高いが、上記のように、マナーモードに設定した場合に狭視野角モードに変更すれば、周囲の人に覗き見られることを防止することができる。
【００８８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００８９】
例えば、上記実施形態では、携帯電話機１に本発明を適用した場合について説明している。しかしながら、本発明はそれに留まるものではなく、視野角の制御機能を有する表示装置を有するものであれば、ＰＨＳ（Personal Handy-phone System）、ＰＤＡ、モバイルＰＣ（Personal Computer）、ポータブルＤＶＤ（Digital Versatile Disk）などの任意の携帯型情報端末に適用することができる。或いは、据置き型のディスプレイに適用してもよい。
【００９０】
また、上記実施形態では、視野角のモードが広視野角モードおよび狭視野角モードの２種類のみであるが、より多くの視野角のモードを設けることもできる。例えば、視野角が広くもなく狭くもない中位の視野角モードを設けても良い。この視野角モードは、ユーザを含む２・３人で表示画面を見る場合に好適である。
【００９１】
また、上記実施形態では、入力ボタン群８が操作されると狭視野角モードとなるように設定している。しかしながら、ユーザが誤って入力ボタン群８を操作してしまうこともあり、その度に広視野角モードから狭視野角モードに変更されることはユーザにとって煩わしい。そこで、入力ボタン群８が所定期間に所定回数以上操作されると狭視野角モードとなるように設定してもよい。
【００９２】
また、上記実施形態では、着信を振動で報知するモード状態（すなわち、バイブレータ４１が作動する状態）をマナーモードとし、着信を音で報知するモード状態（すなわち、音発生部４２が作動する状態）を非マナーモードとしているが、本発明はこれに限定されるものではない。その他の例として、着信時に音発生部４２から発せられる着信音の音量をマナーモードと非マナーモードとで切り替えるような方法も本発明の範疇に含まれる。この場合、操作部１４においてユーザがマナーモードの設定を行うと、マナーモード制御部では、着信時の音量を周囲に騒音とならない程度の十分に小さな音量以下に設定される。そして、視野角制御部２５では、マナーモードに応じた視野角の制御が行われる。
【００９３】
また、携帯電話機１の各ブロック、特に制御部１１は、ハードウェアロジックによって構成してもよいし、次のようにＣＰＵを用いてソフトウェアによって実現してもよい。
【００９４】
すなわち、携帯電話機１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。
【００９５】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９６】
また、携帯電話機１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【産業上の利用可能性】
【００９７】
以上のように、本発明は、動作のモードをマナーモードに設定するか否かによって視野角を制御するので、マナーモードと非マナーモードとで切り替え可能な種々の携帯型情報端末に適用することができる。
【図面の簡単な説明】
【００９８】
【図１】本発明の一実施形態である携帯電話機の要部の構成を示すブロック図である。
【図２】上記携帯電話機を開いた状態での外観を示す図であり、同図（ａ）は正面図であり、同図（ｂ）は背面図である。
【図３】上記携帯電話機の動作モードが非マナーモードであり、視野角が広視野角モードに設定されているときに、正面あるいは斜め方向から視認される表示画面を示す図である。
【図４】上記携帯電話機の動作モードがマナーモードであり、視野角が狭視野角モードに設定されているときに、正面あるいは斜め方向から視認される表示画面を示す図である。
【図５】上記形態電話機の全体の構成を示すブロック図である。
【図６】上記携帯電話機の記憶部に記憶される対応テーブルの一例を表形式で示す図である。
【図７】上記携帯電話機の制御部にて実行される視野角の制御処理の流れを示すフローチャートである。
【符号の説明】
【００９９】
１    携帯電話機（携帯型情報端末）
１１    制御部（視野角制御手段）
１２    メイン表示部（表示手段）
１３    着信報知部（着信報知手段）
１５    記憶部（記憶手段）
２１    アプリケーション制御部
２２    マナーモード制御部
２４    視野角検索部（視野角検索手段）
２５    視野角制御部（視野角制御手段）
５０    対応テーブル
６０    視野角情報
【図１】
2007335912.tif 000003
【図２】
2007335912.tif 000004
【図３】
2007335912.tif 000005
【図４】
2007335912.tif 000006
【図５】
2007335912.tif 000007
【図６】
2007335912.tif 000008
【図７】
2007335912.tif 000009